(57)【要約】      （修正有）【課題】多数の靴、サンダル等を効率よく収納できる組立式靴収納棚を提供する。【解決手段】単位枠体を８本の単管パイプとそれらを上下、直角方向に連結するパイプジョイントで構成する。パイプジョイントは４ポートで上下方向と水平の直角２方向に伸びる円筒状部で構成する。上下方向円筒状部の内部中間位置には仕切り壁を設ける。４個のパイプジョイントを四角形状に並べ、それら前側、後側の左右間と、右側、左側の前後間を単管パイプで繋ぎ、各パイプジョイントには上方より単管パイプを差し込んで単位枠体とする。単位枠体を垂直方向に複数個積みあげ最上段単位枠体の上端にはパイプジョイントを取り付け単管パイプで繋ぐ。各上の段の単位枠体の後側左右間の単管パイプと下の段の単位枠体の前側左右間の単管パイプとの間に靴受けシート８を張り渡す。【選択図】図１
0003190132.tif 000002
【実用新案登録請求の範囲】
【請求項１】
組立式靴収納棚であって、垂直方向に連結して積み上げる複数の単位枠体と、上下の単位枠体間に掛け渡す複数の靴受けシートを備え、
前記単位枠体は８本の断面円形の単管パイプとそれらを垂直、水平方向に連結する４個のパイプジョイントからなり、該パイプジョイントは前記単管パイプの外径に等しい内径で長手方向中央内部に仕切り壁を設けた短い垂直円筒状部と、その長手方向外面に直角で互いの角度も直角になるように取り付けた２個の短い水平円筒状部とからなる４ポートパイプジョイントであり、該パイプジョイントの４個を四角形状に並べてそれら前側、後側の左右間を長い単管パイプで、右側、左側の前後間を中間長さの単管パイプで繋ぎ、各パイプジョイントには上方より単管パイプを差し込んで構成されており、
該単位枠体を垂直方向に複数個積みあげて最上段単位枠体の上方からの単管パイプの上端には前記パイプジョイントを取り付けてそれらの間を長い単管パイプと中間長さの単管パイプで繋ぎ、各上の段の単位枠体の後側左右間の長い単管パイプと下の段の単位枠体の前側左右間の長い単管パイプとの間に前記靴受けシートを張り渡したことを特徴とする組立式靴収納棚。
【請求項２】
請求項１に記載の組立式靴収納棚において、前記４ポートのパイプジョイントは樹脂で成形されて各円筒状部の内面には、その円筒軸方向に伸びる幅狭で低い高さの線状突起部が１乃至複数本形成されていることを特徴とする組立式靴収納棚。
【請求項３】
請求項１又は２に記載の組立式靴収納棚において、前記靴受けシートは上の段の単位枠体の後側左右間の長い単管パイプと下の段の単位枠体の前側左右間の長い単管パイプとの間に張り渡すのに代えて、同じ段の後側左右間の長い単管パイプと前側左右間の長い単管パイプとの間に張り渡したことを特徴とする組立式靴収納棚。
【考案の詳細な説明】
【技術分野】
【０００１】
本考案は多数の靴、サンダル等を効率よく収納でき、靴展示用としても使用可能な組立式靴収納棚に関する。
【背景技術】
【０００２】
靴収納棚としては縦長の四角形状枠体の左右側板間に複数の靴受け棚を掛け渡したものが広く使用されている。しかし、このような靴収納棚は四角形状枠体の大きさが固定であるため、収納する靴の数により大きさを変えることができない。この問題を解決するため、収納靴数に応じて大きさを変えられる組立式靴収納棚が各種提案されている。
【０００３】
例えば、特許文献１〜３には靴を載置できる形状に合成樹脂で成形した複数の靴受け棚を垂直方向に前後交互に開閉するジクザグ形状として多段に組み立て配置する組立式靴収納棚が開示されている。また、特許文献４にも複数枚の履物受けトレイを互い違いに揺動自在として複数段に配すると共に、これら履物受けトレイを支持棒により一定角度で支持可能とすることにより履物収納空間を形成する履物収納ラックが開示されている。しかし、これらの組立式靴収納棚は靴の出し入れを前後から行なうように構成されているため壁際に設置して片側のみから出し入れを行ないたい場合には採用できない。
【先行技術文献】
【特許文献】
【０００４】
【特許文献１】実用新案登録第２５９８６４６号公報
【特許文献２】実開平０６−５２５７４号公報
【特許文献３】実開平０９−２９８号公報
【特許文献４】特開２００２−５１８５１号公報
【考案の概要】
【考案が解決しようとする課題】
【０００５】
本考案は、従来技術のこうした問題点を解決するためになされたもので、その課題は片側から靴の出し入れを行なう靴収納棚であって、多数の靴、サンダル等を効率よく収納でき、靴展示用としても使用できる組立式靴収納棚を提供することにある。
【課題を解決するための手段】
【０００６】
前記課題を解決するための請求項１に記載の考案は、組立式靴収納棚であって、垂直方向に連結して積み上げる複数の単位枠体と、上下の単位枠体間に掛け渡す複数の靴受けシートを備え、単位枠体は８本の断面円形の単管パイプとそれらを垂直、水平方向に連結する４個のパイプジョイントからなり、該パイプジョイントは前記単管パイプの外径に等しい内径で長手方向中央内部に仕切り壁を設けた短い垂直円筒状部と、その長手方向外面に直角で互いの角度も直角になるように取り付けた２個の短い水平円筒状部とからなる４ポートパイプジョイントであり、該パイプジョイントの４個を四角形状に並べてそれら前側、後側の左右間を長い単管パイプで、右側、左側の前後間を中間長さの単管パイプで繋ぎ、各パイプジョイントには上方より単管パイプを差し込んで構成されており、該単位枠体を垂直方向に複数個積みあげて最上段単位枠体の上方からの単管パイプの上端にはパイプジョイントを取り付けてそれらの間を長い単管パイプと中間長さの単管パイプで繋ぎ、各上の段の単位枠体の後側左右間の長い単管パイプと下の段の単位枠体の前側左右間の長い単管パイプとの間に前記靴受けシートを張り渡したことを特徴とする組立式靴収納棚である。
【０００７】
このような構成の組立式靴収納棚は、積み上げる単位枠体の個数を変えることにより靴の収納容量を自由に可変できる。また、組み立て式であるため不使用時には解体して狭い場所に保管でき、運搬も容易である利点を有する。靴受けシートを斜めに張っているため棚の奥行きが小さくなる利点もある。
【０００８】
また、請求項２に記載の考案は、請求項１に記載の組立式靴収納棚において、４ポートのパイプジョイントは樹脂で成形されて各円筒状部の内面には、その円筒軸方向に伸びる幅狭で低い高さの線状突起部が１乃至複数本形成されていることを特徴とする組立式靴収納棚である。
【０００９】
このような構成とすれば、樹脂成形されたパイプジョイントが僅かに変形して単管パイプの先端が押し込まれる。押し込まれた先端部は２本の線状突起部で圧迫されて抜けが防止される。
【００１０】
また、請求項３に記載の考案は、請求項１又は２に記載の組立式靴収納棚において、靴受けシートは上の段の単位枠体の後側左右間の長い単管パイプと下の段の単位枠体の前側左右間の長い単管パイプとの間に張り渡すのに代えて、同じ段の後側左右間の長い単管パイプと前側左右間の長い単管パイプとの間に張り渡したことを特徴とする組立式靴収納棚である。
【００１１】
このような構成の組立式靴収納棚も請求項１に記載の考案と同様の効果を奏する。
【図面の簡単な説明】
【００１２】
【図１】第１の実施形態に係る組立式靴収納棚１の全体斜視図である。
【図２】組立式靴収納棚１の骨組み２の全体斜視図である。
【図３】組立式靴収納棚１の右側面図である。
【図４】単位枠体３の斜視図である。
【図５】単位枠体３の分解斜視図である。
【図６】パイプジョイント５の外観斜視図である。
【図７】（１）はパイプジョイント５の平面図、（２）は（１）のＡ−Ａ線に沿った断面図である。
【図８】第２の実施形態に係る組立式靴収納棚１ａの全体斜視図である。
【考案を実施するための形態】
【００１３】
以下、本考案に係る組立式靴収納棚の実施形態を形態別に図面を参照して説明する。
（第１の実施形態）
図１は本実施形態の組立式靴収納棚１の全体斜視図、図２は組立式靴収納棚１の骨組み２の全体斜視図、図３は組立式靴収納棚１の右側面図、図４は棚１段分の骨組みである単位枠体３の斜視図、図５は単位枠体３の分解斜視図である。全体の骨組み２は単位枠体３を垂直方向に複数個、連結して積み上げて構成される。
【００１４】
単位枠体３は図４、図５に示すように、４個のパイプジョイント５と８本の断面円形の単管パイプ６ａ、６ｂ、６ｃにより構成される。４個のパイプジョイント５は四角形状に並べ、それらパイプジョイント５間を４個の単管パイプ６ａ、６ｂで繋ぎ、更に各パイプジョイント５に上方から単管パイプ６ｃを接続している。８本の単管パイプ６ａ、６ｂ、６ｃの長さは３種類ある。靴を出し入れする側となる前側左右と、後側左右のパイプジョイント５間は、収納棚１の横幅となる長い単管パイプ６ａで繋ぐ。右側、左側の前後パイプジョイント５間は収納棚１の奥行きを決める中間長さの単管パイプ６ｂで繋ぐ。各パイプジョイント５には、収納棚１の棚と棚の間隔を決める短い単管パイプ６ｃを上方より差し込む。
【００１５】
４個のパイプジョイント５は同一形状であり、その外観斜視図を図６に示す。図７の（１）はパイプジョイント５の平面図、図７の（２）は図７の（１）のＡ−Ａ線に沿った断面図である。パイプジョイント５は内径が単管パイプ６の外径に等しく、長手方向中央内部に仕切り壁７を設けた短い垂直円筒状部５ａと、その長手方向外面に直角で、互いの角度も直角になるように取り付けた２個の短い水平円筒状部５ｂとから構成された４ポートパイプジョイントである。水平円筒状部５ｂの内径も単管パイプ６の外径に等しい。各筒状部５ａ、５ｂの内面には幅狭で低い高さの線状突起部９が円筒軸方向に２本、対向して設けてある。対向する２本の線状突起部９間の間隔は挿入される単管パイプ６の外径より僅かに狭い。単管パイプ６は、その間に力を込めて押し込む。パイプジョイント５は樹脂成形品であるため、僅かに変形して単管パイプ６の先端が押し込まれる。押し込まれた先端部は２本の線状突起部９で圧迫されて抜けが防止される。抜け防止には、単管パイプ６をパイプジョイント５にねじ込み固定する方法、パイプジョイント５の外面からボルトをねじ込んで固定する方法等を採用してもよい。
【００１６】
このような構成の単位枠体３を複数個、垂直方向に短い単管パイプ６ｃで連結しながら積み上げる。最上段の単位枠体３の短い単管パイプ６ｃの上端にはパイプジョイント５を取り付け、それらの間を２本の長い単管パイプ６ａと２本の中間長さの単管パイプ６ｂで四角形状に繋ぐ。これにより強度が確保された図２に示す骨組み２が完成する。
【００１７】
収納する靴は靴受けシート８で支持する。靴受けシート８は、図１に示すように上の段の単位枠体３の後側左右間の長い単管パイプ６ａと下の段の単位枠体８の前側左右間の長い単管パイプ６ａとの間に斜めに張り渡して取り付ける。長い単管パイプ６ａへの取り付けは、靴受けシート８の上下端部に沿って円筒袋部を形成し、その円筒袋部に長い単管パイプ６ａを通した状態で単位枠体３を組み立てることにより行なう。靴受けシート８が上の段と下の段の単位枠体３間に渡ることになるため、最下段の単位枠体３から順に靴受けシート８を取り付けながら組み立てを行ない、垂直方向に連結積み上げしながら図１に示す組立式靴収納棚１を完成させる。
【００１８】
靴受けシート８に載置した靴は、摩擦により斜めの靴受けシート８上に静止する。滑ることがあっても下方の長い単管パイプ６ａに当接して静止し、落下することはない。摩擦による静止を確実にするには、靴受けシート８の傾斜角度を小さく設計する。また、靴受けシート８に若干の弛みを持たせると傾斜角度が小さくなって滑りを防止できる。
【００１９】
このような構成の組立式靴収納棚１は、積み上げる単位枠体３の個数を変えることにより靴の収納容量を自由に可変できる。また、組み立て式であるため不使用時には解体して狭い場所に保管でき、運搬も容易である利点を有する。靴受けシートが斜めに張ってあるため棚が水平の場合に比べて棚の奥行きが小さくなる。これにより、玄関先等に置いた場合に占有スペースが小さくて済み、スペースを有効利用できる利点がある。
【００２０】
（第２の実施形態）
図８は第２の実施形態に係る組立式靴収納棚１ａの全体斜視図である。第１の実施形態に係る組立式靴収納棚１と異なる点は、靴受けシート８を同じ単位枠体３の後側左右間の長い単管パイプ６ａと前側左右間の長い単管パイプ６ａとの間に張り渡したことにある。それ以外の構成は同じである。
【００２１】
このような構成の組立式靴収納棚１ａも、積み上げる単位枠体３の個数を変えることにより靴の収納容量を自由に可変できる。また、組み立て式であるため不使用時には解体して狭い場所に保管でき、運搬も容易である利点を有する。靴受けシートは水平に張ってあるため、靴以外のシャツ、衣類、雑誌、雑貨などの種々の物品を収納する収納棚としても使用できて便利である。
【符号の説明】
【００２２】
図面中、１、１ａは組立式靴収納棚、２は骨組み、３は単位枠体、５はパイプジョイント、５ａは垂直円筒状部、５ｂは水平円筒状部、６ａ、６ｂ、６ｃは単管パイプ、７は仕切り壁、８は靴受けシート、９は線状突起部を示す。
【図１】
0003190132.tif 000003
【図２】
0003190132.tif 000004
【図３】
0003190132.tif 000005
【図４】
0003190132.tif 000006
【図５】
0003190132.tif 000007
【図６】
0003190132.tif 000008
【図７】
0003190132.tif 000009
【図８】
0003190132.tif 000010